(57)【特許請求の範囲】
【請求項１】
ナースコール子機（１ａ、１ｂ、１ｃ、・・・、２ａ、２ｂ、２ｃ、・・・、・・・）からの呼び出しをナースコール親機（１０）にて報音／表示させるとともに、前記ナースコール親機を介して携帯端末（１１ａ、１１ｂ、１１ｃ、１２ａ、１２ｂ、１２ｃ、・・・）にて報音／表示させるナースコール装置であって、
前記ナースコール親機には、前記ナースコール子機が有する子機アドレス毎に前記携帯端末が有する携帯端末アドレスを呼出先としてメモリアドレスに割り当てて設定登録するためのメモリアドレス／子機アドレス割り当てテーブルおよびメモリアドレス／携帯端末アドレス割り当てテーブルを有する呼出先設定テーブル（ＴＢ）が記憶されている記憶部（３２）と、前記ナースコール子機からの呼出信号に付加されている子機アドレスをもとに呼出元の当該ナースコール子機を検出して前記呼び出しを報音／表示するとともに、前記記憶部に記憶されている前記呼出先設定テーブルを参照し、前記呼出信号に付加されている子機アドレスに割り当てられたメモリアドレスに該当の携帯端末アドレスを有する当該携帯端末にて前記呼び出しを報音／表示させるためのＣＰＵ（３０）とを備え、
前記携帯端末は、前記ナースコール親機の前記記憶部に記憶されている前記呼出先設定テーブルの前記メモリアドレス／子機アドレス割り当てテーブルを書換登録するための書換元／書換先の当該ナースコール子機に該当した子機アドレスを入力する機能を備え、
前記ナースコール親機の前記ＣＰＵは、前記携帯端末にて入力された書換元の子機アドレスに割り当てられている前記メモリアドレスを前記メモリアドレス／子機アドレス割り当てテーブルから読み出すためにテーブル登録データ出力部（３４）を制御するとともに、前記携帯端末にて入力された書換先の子機アドレスを受信して前記テーブル登録データ出力部に送出し、
前記テーブル登録データ出力部は、前記ＣＰＵの制御により読み出された前記メモリアドレスに前記書換先の子機アドレスを割り当てて前記メモリアドレス／子機アドレス割り当てテーブルに書換登録することを特徴とするナースコール装置。
【請求項２】
ナースコール子機（１ａ、１ｂ、１ｃ、・・・、２ａ、２ｂ、２ｃ、・・・、・・・）からの呼び出しをナースコール親機（１０）にて報音／表示させるとともに、前記ナースコール親機を介して携帯端末（１１ａ、１１ｂ、１１ｃ、１２ａ、１２ｂ、１２ｃ、・・・）にて報音／表示させるナースコール装置であって、
前記ナースコール親機には、前記ナースコール子機が有する子機アドレス毎に前記携帯端末が有する携帯端末アドレスを呼出先としてメモリアドレスに割り当てて設定登録するためのメモリアドレス／子機アドレス割り当てテーブルおよびメモリアドレス／携帯端末アドレス割り当てテーブルを有する呼出先設定テーブル（ＴＢ）が記憶されている記憶部（３２）と、前記ナースコール子機からの呼出信号に付加されている子機アドレスをもとに呼出元の当該ナースコール子機を検出して前記呼び出しを報音／表示するとともに、前記記憶部に記憶されている前記呼出先設定テーブルを参照し、前記呼出信号に付加されている子機アドレスに割り当てられたメモリアドレスに該当の携帯端末アドレスを有する当該携帯端末にて前記呼び出しを報音／表示させるためのＣＰＵ（３０）とを備え、
前記携帯端末は、前記ナースコール親機の前記記憶部に記憶されている前記呼出先設定テーブルの前記メモリアドレス／子機アドレス割り当てテーブルを新規登録するための前記ナースコール子機に該当した子機アドレスを入力する機能を備え、
前記ナースコール親機の前記ＣＰＵは、前記子機アドレスが割り当てられていない空メモリアドレスを前記メモリアドレス／子機アドレス割り当てテーブルから読み出すためにテーブル登録データ出力部（３４）を制御するとともに、前記携帯端末にて入力された新規登録の子機アドレスを受信して前記テーブル登録データ出力部に送出し、
前記テーブル登録データ出力部は、前記ＣＰＵの制御により読み出された前記空メモリアドレスに前記新規登録の子機アドレスを割り当てて前記メモリアドレス／子機アドレス割り当てテーブルに新規登録することを特徴とするナースコール装置。
【発明の詳細な説明】
【０００１】
【発明の属する技術分野】
本発明はナースコール装置に係り、特に、ナースコール子機毎の携帯端末の呼出先を、携帯端末からの入力データに基づいて書換登録／新規登録することができるナースコール装置に関する。
【０００２】
【従来の技術】
従来から、この種のナースコール装置として、図４のシステム構成図に示すナースコール装置が提案されている。
【０００３】
同図に示す従来例のナースコール装置は、病室内の所定の位置、例えば、ベッドサイド毎に設置されている（複数の）ナースコール子機５１ａ、５１ｂ、５１ｃ、・・・、５２ａ、５２ｂ、５２ｃ、・・・、・・・と、ナースステーション内に設置されているナースコール親機６０と、看護婦、ここでは、病院内を巡回中の看護婦によって携帯されている（複数の）携帯端末６１ａ、６１ｂ、６１ｃ、６２ａ、６２ｂ、６２ｃ、・・・と、携帯端末６１ａ、６１ｂ、６１ｃ、６２ａ、６２ｂ、６２ｃ、・・・をそれぞれ無線制御（信号処理、通話路の選択等）するための無線基地局７０と、無線基地局７０を制御（回路制御等）するためのデジタル方式の交換機７１とで構成されており、ナースコール親機６０には、図５のブロック図に示すように、ＣＰＵ８０、呼出検出回路８１、記憶部８２、報音／表示部８３、呼出先変更スイッチ８４、インターフェース回路（以下、Ｉ／Ｆと称す）８５、８６が備えられている。
【０００４】
このように構成された従来例のナースコール装置において、図５のブロック図に示すナースコール親機６０の記憶部８２には、当該ナースコール装置の出荷・設置時における病院側からの要望に基づいて、ナースコール子機５１ａ、５１ｂ、５１ｃ、・・・、５２ａ、５２ｂ、５２ｃ、・・・、・・・毎に携帯端末６１ａ、６１ｂ、６１ｃ、６２ａ、６２ｂ、６２ｃ、・・・の呼出先を設定するための呼出先設定テーブル（図示せず）が予め記憶されているものとする。
【０００５】
ここで、図４のシステム構成図に示すナースコール子機５１ａ、５１ｂ、５１ｃ、・・・、５２ａ、５２ｂ、５２ｃ、・・・、・・・のうち、ナースコール子機５１ａがベッドサイドに設置されている患者が、ナースステーションに居る看護婦または病院内を巡回中の看護婦を呼び出して通話を成立させるために、ナースコール子機５１ａの呼出機能（詳述せず）を能動とすると、ナースコール子機５１ａの子機アドレスデータを付加した呼出信号が、図５のブロック図に示すナースコール親機６０のＩ／Ｆ８５を介して呼出検出回路８１に伝送され、呼出検出回路８１は、ナースコール子機５１ａからの呼出信号に付加されている子機アドレスデータを検出してＣＰＵ８０に送出する。
【０００６】
ナースコール親機６０のＣＰＵ８０は、呼出検出回路８１からの子機アドレスデータに基づいてナースコール子機５１ａがベッドサイドに設置されている患者からの呼び出しを検出し、報音／表示部８３のスピーカ（図示せず）にて呼出音を報音させ、ナースコール子機５１ａに該当した表示灯（図示せず）を点灯／点滅させるとともに、記憶部８２に記憶されている呼出先設定テーブル（図示せず）を参照し、呼出検出回路８１からの子機アドレスデータに割り当てられている呼出先の携帯端末アドレスデータを読み出して、読み出された携帯端末アドレスデータおよび上述の子機アドレスデータを付加した呼出報知信号を、Ｉ／Ｆ８６、交換機７１、無線基地局７０を介して携帯端末６１ａ、６１ｂ、６１ｃ、６２ａ、６２ｂ、６２ｃ、・・・にそれぞれ送出する。
【０００７】
また、各携帯端末６１ａ、６１ｂ、６１ｃ、６２ａ、６２ｂ、６２ｃ、・・・では、ナースコール親機６０のＣＰＵ８０からの呼出報知信号に付加されている携帯端末アドレスデータと自端末に予め割り当てられている自端末アドレスデータとを照合し、当該アドレスデータが一致していれば、子機アドレスデータに基づいてナースコール子機５１ａがベッドサイドに設置されている患者からの呼び出しを検出して、スピーカ（図示せず）にて呼出音を報音させるとともに、ナースコール子機５１ａに該当した子機番号、例えば、子機番号「１」を表示部（図示せず）に表示させる。
【０００８】
さらに、上述の報音／表示を確認したナースステーション内に居る看護婦および病院内を巡回中の看護婦のうち、最先に応答した看護婦は、ナースコール子機５１ａがベッドサイドに設置されている患者との通話を成立させることができる（詳述せず）。
【０００９】
【発明が解決しようとする課題】
しかしながら、従来例のナースコール装置において、図５のブロック図に示すナースコール親機６０の記憶部８２に記憶されている呼出先設定テーブル（図示せず）の内容、例えば、呼出先の携帯端末等を変更させるための手段は、ナースステーション内に居る看護婦が呼出先変更スイッチ８４を操作する手段（詳述せず）に限定されており、呼出先設定テーブルの内容を書き換えたり新規に登録（書換登録／新規登録）させるためには、多大な時間や費用が必要とされる難点があった。
【００１０】
本発明は、上述の難点を解消するためになされたもので、ナースコール親機の記憶部に記憶されている呼出先設定テーブルの書換登録／新規登録を、看護婦の操作による携帯端末からの入力データに基づいて可能とし、書換登録／新規登録の際に必要な時間や費用を抑制させることにより、看護業務の能率性が向上されたナースコール装置を提供することを目的としている。
【００１１】
【課題を解決するための手段】
この目的を達成するため、本発明によるナースコール装置は、ナースコール子機からの呼び出しをナースコール親機にて報音／表示させるとともに、ナースコール親機を介して携帯端末にて報音／表示させるナースコール装置である。ナースコール親機には、ナースコール子機が有する子機アドレス毎に携帯端末が有する携帯端末アドレスを呼出先としてメモリアドレスに割り当てて設定登録するためのメモリアドレス／子機アドレス割り当てテーブルおよびメモリアドレス／携帯端末アドレス割り当てテーブルを有する呼出先設定テーブルが記憶されている記憶部と、ナースコール子機からの呼出信号に付加されている子機アドレスをもとに呼出元の当該ナースコール子機を検出して呼び出しを報音／表示するとともに、記憶部に記憶されている呼出先設定テーブルを参照し、呼出信号に付加されている子機アドレスに割り当てられたメモリアドレスに該当の携帯端末アドレスを有する当該携帯端末にて呼び出しを報音／表示させるためのＣＰＵとを備え、携帯端末は、ナースコール親機の記憶部に記憶されている呼出先設定テーブルのメモリアドレス／子機アドレス割り当てテーブルを書換登録するための書換元／書換先の当該ナースコール子機に該当した子機アドレスを入力する機能を備え、ナースコール親機のＣＰＵは、携帯端末にて入力された書換元の子機アドレスに割り当てられているメモリアドレスをメモリアドレス／子機アドレス割り当てテーブルから読み出すためにテーブル登録データ出力部を制御するとともに、携帯端末にて入力された書換先の子機アドレスを受信してテーブル登録データ出力部に送出し、テーブル登録データ出力部は、ＣＰＵの制御により読み出されたメモリアドレスに書換先の子機アドレスを割り当ててメモリアドレス／子機アドレス割り当てテーブルに書換登録することを特徴としている。
【００１２】
また、本発明によるナースコール装置は、ナースコール子機からの呼び出しをナースコール親機にて報音／表示させるとともに、ナースコール親機を介して携帯端末にて報音／表示させるナースコール装置である。ナースコール親機には、ナースコール子機が有する子機アドレス毎に携帯端末が有する携帯端末アドレスを呼出先としてメモリアドレスに割り当てて設定登録するためのメモリアドレス／子機アドレス割り当てテーブルおよびメモリアドレス／携帯端末アドレス割り当てテーブルを有する呼出先設定テーブルが記憶されている記憶部と、ナースコール子機からの呼出信号に付加されている子機アドレスをもとに呼出元の当該ナースコール子機を検出して呼び出しを報音／表示するとともに、記憶部に記憶されている呼出先設定テーブルを参照し、呼出信号に付加されている子機アドレスに割り当てられたメモリアドレスに該当の携帯端末アドレスを有する当該携帯端末にて呼び出しを報音／表示させるためのＣＰＵとを備え、携帯端末は、ナースコール親機の前記記憶部に記憶されている呼出先設定テーブルのメモリアドレス／子機アドレス割り当てテーブルを新規登録するためのナースコール子機に該当した子機アドレスを入力する機能を備え、ナースコール親機のＣＰＵは、子機アドレスが割り当てられていない空メモリアドレスをメモリアドレス／子機アドレス割り当てテーブルから読み出すためにテーブル登録データ出力部を制御するとともに、携帯端末にて入力された新規登録の子機アドレスを受信してテーブル登録データ出力部に送出し、テーブル登録データ出力部は、ＣＰＵの制御により読み出された空メモリアドレスに新規登録の子機アドレスを割り当ててメモリアドレス／子機アドレス割り当てテーブルに新規登録することを特徴としている。
【００１３】
このようなナースコール装置によれば、ナースコール子機毎に携帯端末の呼出先を設定するためにナースコール親機の記憶部に記憶されている呼出先設定テーブルの書換登録／新規登録が、携帯端末からの入力データに基づいて可能となる。
【００１４】
【発明の実施の形態】
以下、本発明によるナースコール装置を適用した好ましい形態の実施例について、図面を参照して説明する。
【００１５】
図１は、本発明の一実施例によるナースコール装置のシステム構成図であり、病室内の所定の位置、例えば、ベッドサイド毎に設置されている（複数の）ナースコール子機１ａ、１ｂ、１ｃ、・・・、２ａ、２ｂ、２ｃ、・・・、・・・と、ナースステーション内に設置され、ペア線の子機接続ラインＬ1a、Ｌ1b、Ｌ1c、・・・、Ｌ2a、Ｌ2b、Ｌ2c、・・・、・・・を介してナースコール子機１ａ、１ｂ、１ｃ、・・・、２ａ、２ｂ、２ｃ、・・・、・・・および交換機接続ラインＬ10を介して後述する交換機２１がそれぞれ接続されているナースコール親機１０と、看護婦、ここでは、病院内を巡回中の看護婦によって携帯されている（複数の）携帯端末１１ａ、１１ｂ、１１ｃ、１２ａ、１２ｂ、１２ｃ、・・・と、携帯端末１１ａ、１１ｂ、１１ｃ、１２ａ、１２ｂ、１２ｃ、・・・をそれぞれ無線制御（信号処理、通話路の選択等）するための無線基地局２０と、ペア線の基地局接続ラインＬ11を介して接続されている無線基地局２０を制御（回路制御等）するためのデジタル方式の交換機２１とで構成されている。
【００１６】
また、ナースコール親機１０は、図２のブロック図に示すように、当該ナースコール親機内の動作を制御するためのＣＰＵ３０と、ナースコール子機１ａ、１ｂ、１ｃ、・・・、２ａ、２ｂ、２ｃ、・・・、・・・からの呼び出しを個別に検出するための呼出検出回路３１と、ナースコール子機１ａ、１ｂ、１ｃ、・・・、２ａ、２ｂ、２ｃ、・・・、・・・毎に携帯端末１１ａ、１１ｂ、１１ｃ、１２ａ、１２ｂ、１２ｃ、・・・の呼出先を設定するための呼出先設定テーブルＴＢ（後述する図３（ａ）、（ｂ）のテーブル構成図を参照）が記憶されている記憶部３２と、記憶部３２に記憶されている呼出先設定テーブルＴＢ（の内容）を参照したＣＰＵ３０の制御に基づいて、スピーカ（図示せず）にて呼出音を報音させたり、呼出元のナースコール子機に該当した表示灯（図示せず）を点灯／点滅させるための報音／表示部３３と、病院内を巡回中の看護婦の操作による携帯端末１１ａ、１１ｂ、１１ｃ、１２ａ、１２ｂ、１２ｃ、・・・からの入力データに基づいて、記憶部３２に記憶されている呼出先設定テーブルＴＢ（の内容）を書換登録／新規登録するためのテーブル登録データを、ＣＰＵ３０の制御により出力するテーブル登録データ出力部３４と、記憶部３２に記憶されている呼出先設定テーブルＴＢ（の内容）を変更するため、ナースステーション内に居る看護婦により操作される呼出先変更スイッチ３５と、ＣＰＵ３０および呼出検出回路３１と子機接続ラインＬ1a、Ｌ1b、Ｌ1c、・・・、Ｌ2a、Ｌ2b、Ｌ2c、・・・、・・・との間で送受信される各種信号の伝送路を形成するためのインターフェース回路（以下、同様のインターフェース回路についてはＩ／Ｆと称す）３６と、ＣＰＵ３０と交換機接続ラインＬ10との間で送受信される各種信号の伝送路を形成するためのＩ／Ｆ３７とが備えられている。
【００１７】
このように構成された本発明の一実施例によるナースコール装置において、以下、その動作を具体的に説明する。
【００１８】
先ず、図３（ａ）のテーブル構成図に示すように、メモリアドレス「００」、「１０」、「２０」、・・・、「０１」、「１１」、「２１」、・・・、・・・毎にナースコール子機１ａ、１ｂ、１ｃ、・・・、２ａ、２ｂ、２ｃ、・・・、・・・および呼出先の携帯端末、すなわち、「００」には携帯端末１１ａ、１１ｂ、１１ｃ、「１０」には携帯端末１１ａ、１１ｂ、「２０」には携帯端末１１ａ、「０１」には携帯端末１２ａ、１２ｂ、１２ｃ、・・・のようにメモリアドレス／子機アドレス割り当てテーブルおよびメモリアドレス／携帯端末アドレス割り当てテーブルが予め設定登録された図２のブロック図に示すナースコール親機１０の記憶部３２に記憶されている呼出先設定テーブルＴＢの書換登録を行なう、ここでは、メモリアドレス「００」に該当した携帯端末１１ａ、１１ｂ、１１ｃの呼出元とされるナースコール子機を、ナースコール子機１ａからナースコール子機１ｃに書き換えて登録させるための動作について説明する。
【００１９】
ここで、図１のシステム構成図に示すように、携帯端末１１ａ、１１ｂ、１１ｃ、１２ａ、１２ｂ、１２ｃ、・・・を携帯しながら病院内を巡回中の看護婦のうち、任意の携帯端末、ここでは、携帯端末１１ａを携帯しながら病院内を巡回中の看護婦が、書換登録を行なうために携帯端末１１ａの書換登録起動ボタン（図示せず）を操作した後、操作ボタン（図示せず）を用いて書換元のナースコール子機１ａに該当した子機アドレスデータ（以下、書換元子機アドレスデータと称す）を入力すると、書換登録モード起動データおよび上述の書換元子機アドレスデータを付加した書換登録起動信号が、無線基地局２０、基地局接続ラインＬ11、交換機２１、交換機接続ラインＬ10、図２のブロック図に示すナースコール親機１０のＩ／Ｆ３７を介してＣＰＵ３０に伝送される。
【００２０】
ナースコール親機１０のＣＰＵ３０は、携帯端末１１ａからの書換登録起動信号に付加されている書換登録モード起動データを検出してテーブル登録データ出力部３４を能動し、記憶部３２は、ＣＰＵ３０からの書換元子機アドレスデータと図３（ａ）のテーブル構成図に示す呼出先設定テーブルＴＢのメモリアドレス／子機アドレス割り当てテーブルとを照合し、合致する書換先アドレス（書換先メモリアドレス）、ここでは、メモリアドレス「００」を読み出してテーブル登録データ出力部３４に送出する。
【００２１】
この後、携帯端末１１ａを携帯しながら病院内を巡回中の看護婦が、操作部（図示せず）を用いて書換先であるナースコール子機１ｃに該当した子機アドレスデータ（以下、書換先子機アドレスデータと称す）を入力すると、この書換先子機アドレスデータを付加した書換登録信号が、上述の書換登録起動信号と同様な経路を介してナースコール親機１０のＣＰＵ３０に伝送される。
【００２２】
ナースコール親機１０のＣＰＵ３０は、携帯端末１１ａからの書換登録信号に付加されている書換先子機アドレスデータをデーブル登録データ出力部３４に送出し、テーブル登録データ出力部３４は、ＣＰＵ３０からの書換先子機アドレスデータ、すなわち、ナースコール子機１ｃの子機アドレスデータをメモリアドレス「００」に付加して記憶部３２に送出することにより、記憶部３２に記憶されている呼出先設定テーブルＴＢのメモリアドレス／子機アドレス割り当てテーブルのメモリアドレス「００」に該当したナースコール子機を、図３（ａ）のテーブル構成図に示すようにナースコール子機１ａからナースコール子機１ｃに書き換えて登録することができるとともに、メモリアドレス「２０」は空き状態となる。
【００２３】
また、携帯端末１１ａでは、上述の書換登録が行なわれたことを示す確認音がスピーカ（図示せず）にて報音される。
【００２４】
次に、図３（ｂ）のテーブル構成図に示すように、メモリアドレス「１０」を除くメモリアドレス「００」、「２０」、・・・、「０１」、「１１」、「２１」、・・・、・・・毎に、ナースコール子機１ａ、１ｂ、１ｃ、・・・、２ａ、２ｂ、２ｃ、・・・、・・・および呼出先の携帯端末、すなわち、「００」には携帯端末１１ａ、１１ｂ、１１ｃ、「１０」には携帯端末１１ａ、１１ｂ、「２０」には携帯端末１１ａ、「０１」には携帯端末１２ａ、１２ｂ、１２ｃ、・・・のようにメモリアドレス／子機アドレス割り当てテーブルおよびメモリアドレス／携帯端末アドレス割り当てテーブルが予め設定登録された図２のブロック図に示すナースコール親機１０の記憶部３２に記憶されている呼出先設定テーブルＴＢの空きアドレス「１０」に、例えば、増設したナースコール子機、ここでは、ナースコール子機３ｎ（図示せず）を割り当てて新規に登録させるための動作について説明する。
【００２５】
ここで、図１のシステム構成図に示すように、携帯端末１１ａ、１１ｂ、１１ｃ、１２ａ、１２ｂ、１２ｃ、・・・を携帯しながら病院内を巡回中の看護婦のうち、上述の書換登録時と同様、任意の携帯端末、ここでは、携帯端末１１ａを携帯しながら病院内を巡回中の看護婦が、新規登録を行なうために携帯端末１１ａの新規登録起動ボタン（図示せず）を操作すると、新規登録モード起動データを付加した新規登録起動信号が、上述の書換登録起動信号、書換登録信号と同様な経路を介して図２のブロック図に示すナースコール親機１０のＣＰＵ３０に伝送される。
【００２６】
ナースコール親機１０のＣＰＵ３０は、携帯端末１１ａからの新規登録起動信号に付加されている新規登録モード起動データを検出してテーブル登録データ出力部３４を能動とするとともに、図３（ｂ）のテーブル構成図に示す記憶部３２の呼出先設定テーブルＴＢに記憶されているメモリアドレス／子機アドレス割り当てテーブルから空きアドレス（空きメモリアドレス）、ここでは、メモリアドレス「１０」を読み出してテーブル登録データ出力部３４に送出する。
【００２７】
この後、携帯端末１１ａを携帯しながら病院内を巡回中の看護婦が、操作部（図示せず）を用いて空きアドレスとされるメモリアドレス「１０」に新規登録するためのナースコール子機３ｎ（図示せず）に該当した子機アドレスデータ（以下、新規登録子機アドレスデータと称す）を入力すると、新規登録子機アドレスデータを付加した新規登録信号が、上述の書換登録起動信号、書換登録信号、新規登録起動信号と同様な経路を介してナースコール親機１０のＣＰＵ３０に伝送される。
【００２８】
ナースコール親機１０のＣＰＵ３０は、携帯端末１１ａからの新規登録信号に付加されている新規登録子機アドレスデータをデーブル登録データ出力部３４に送出し、テーブル登録データ出力部３４は、ＣＰＵ３０からの新規登録子機アドレスデータ、すなわち、ナースコール子機３ｎ（図示せず）の子機アドレスデータをメモリアドレス「１０」に付加して記憶部３２に送出することにより、記憶部３２に記憶されている呼出先設定テーブルＴＢのメモリアドレス／子機アドレスの空きアドレスとされるメモリアドレス「１０」に、図３（ｂ）のテーブル構成図に示すようにナースコール子機３ｎ（図示せず）を割り当てて新規に登録することができる。
【００２９】
また、携帯端末１１ａでは、上述の新規登録が行なわれたことを示す確認音がスピーカ（図示せず）にて報音される。
【００３０】
次に、上述のように書換登録／新規登録が行なわれた当該ナースコール装置、ここでは、書換登録が行なわれた場合において、図１のシステム構成図に示すナースコール子機１ａ、１ｂ、１ｃ、・・・、２ａ、２ｂ、２ｃ、・・・、・・・のうち、任意のナースコール子機、ここでは、ナースコール子機１ｃがベッドサイドに設置されている患者が、ナースステーションに居る看護婦または病院内を巡回中の看護婦を呼び出して通話を成立させるために、ナースコール子機１ｃの呼出機能、例えば、呼出ボタン（図示せず）を操作すると、ナースコール子機１ｃの子機アドレスデータ（以下、呼出元子機アドレスデータと称す）を付加した呼出信号が、子機接続ラインＬ1c、図２のブロック図に示すナースコール親機１０のＩ／Ｆ３６を介して呼出検出回路３１に伝送され、呼出検出回路３１は、ナースコール子機１ｃからの呼出信号に付加されている呼出元子機アドレスデータを検出してＣＰＵ３０に送出する。
【００３１】
ナースコール親機１０のＣＰＵ３０は、呼出検出回路３１からの呼出元子機アドレスデータに基づいてナースコール子機１ｃがベッドサイドに設置されている患者からの呼び出しを検出し、報音／表示部３３のスピーカ（図示せず）にて呼出音を報音させ、ナースコール子機１ｃに該当した表示灯（図示せず）を点灯／点滅させる。
【００３２】
また、ナースコール親機１０のＣＰＵ３０は、図３のテーブル構成図（ａ）に示す記憶部３２に記憶されている呼出先設定テーブルＴＢの子機アドレス／メモリアドレス割り当てテーブル参照し、呼出検出回路３１からの呼出元子機アドレスデータに該当したメモリアドレス「００」を検出した後、検出されたメモリアドレス「００」とメモリアドレス／携帯端末アドレス割り当てテーブルとを照合し、呼出先の携帯端末アドレスデータ、すなわち、携帯端末１１ａ、１１ｂ、１１ｃにそれぞれ該当した携帯端末アドレスデータ（以下、呼出先携帯端末アドレスデータと称す）を読み出して、読み出された呼出先携帯端末アドレスデータおよび上述の呼出元子機アドレスデータを付加した呼出報知信号を、Ｉ／Ｆ３７、交換機接続ラインＬ10、交換機２１、基地局接続ラインＬ11、無線基地局２０を介して携帯端末１１ａ、１１ｂ、１１ｃ、１２ａ、１２ｂ、１２ｃ、・・・にそれぞれ送出する。
【００３３】
また、各携帯端末１１ａ、１１ｂ、１１ｃ、１２ａ、１２ｂ、１２ｃ、・・・では、ナースコール親機１０のＣＰＵ３０からの呼出報知信号に付加されている呼出先携帯端末アドレスデータと自端末に予め割り当てられている自端末アドレスデータとを照合し、当該アドレスデータが一致していれば、子機アドレスデータに基づいてナースコール子機１ｃがベッドサイドに設置されている患者からの呼び出しを検出して、スピーカ（図示せず）にて呼出音を報音させるとともに、ナースコール子機１ｃに該当した子機番号、例えば、子機番号「３」を表示部（図示せず）に表示させる。ここでは、携帯端末１１ａ、１１ｂ、１１ｃ、１２ａ、１２ｂ、１２ｃ、・・・のうち、携帯端末１１ａ、１１ｂ、１１ｃにて上述の報音／表示が行なわれる。
【００３４】
さらに、上述の報音／表示に基づいてナースコール子機１ｃがベッドサイドに設置されている患者からの呼び出しを確認したナースステーション内に居る看護婦および携帯端末１１ａ、１１ｂ、１１ｃを携帯しながら病院内を巡回中の看護婦のうち、最先に応答した看護婦、先ず、ナースステーション内に居る看護婦がナースコール親機１０にて応答、例えば、ハンドセット（図示せず）を取り上げると、このハンドセットとナースコール子機１ｃのマイクおよびスピーカ（図示せず）との間の通話路（詳述せず）が形成され、ナースステーション内に居る看護婦とナースコール子機１ｃがベッドサイドに設置されている患者との通話を成立させることができるとともに、各携帯端末１１ａ、１１ｂ、１１ｃでの報音／表示、すなわち、スピーカ（図示せず）からの呼出音の報音および表示部（図示せず）での子機番号「３」の表示は停止される。
【００３５】
一方、携帯端末１１ａ、１１ｂ、１１ｃを携帯しながら病院内を巡回中の看護婦のうち、携帯端末１１ａを携帯しながら病院内を巡回中の看護婦が、携帯端末１１ａにて応答、例えば、応答ボタン（図示せず）を操作すると、携帯端末１１ａのマイクおよびスピーカ（図示せず）とナースコール子機１ｃのマイクおよびスピーカ（図示せず）との間の通話路（詳述せず）が形成され、携帯端末１１ａを携帯しながら病院内を巡回中の看護婦とナースコール子機１ｃがベッドサイドに設置されている患者との通話を成立させることができるとともに、ナースコール親機１０での報音／表示、すなわち、報音／表示部３３のスピーカ（図示せず）からの呼出音の報音および表示灯（図示せず）の点灯／点滅は停止され、かつ、他の携帯端末１１ｂ、１１ｃでの報音／表示、すなわち、スピーカ（図示せず）からの呼出音の報音および表示部（図示せず）での子機番号「３」の表示も停止される。
【００３６】
なお、上述の説明では、書換登録／新規登録が行なわれた当該ナースコール装置における呼び出し／通話の動作を、書換登録が行なわれた場合についてのみ説明したが、新規登録が行なわれた場合でも同様な呼び出し／通話を成立させることができる（詳述せず）。
【００３７】
また、図２のブロック図に示すように、ナースコール親機１０の記憶部３２に記憶されている図３（ａ）、（ｂ）のテーブル構成図に示す呼出先設定テーブルＴＢのメモリアドレス／子機アドレス割り当てテーブルおよびメモリアドレス／携帯端末アドレス割り当てテーブルの内容、例えば、呼出先の携帯端末等を変更させるためには、従来例と同様、ナースステーション内に居る看護婦が呼出先変更スイッチ３５を操作することで可能となる（詳述せず）。
【００３８】
【発明の効果】
以上の説明から明らかなように、本発明のナースコール装置によれば、ナースコール子機毎に携帯端末の呼出先を設定するためにナースコール親機の記憶部に記憶されている呼出先設定テーブルの書換登録／新規登録が、看護婦の操作による携帯端末からの入力データに基づいて可能となるため、書換登録／新規登録の際に必要な時間や費用が抑制され、看護業務の能率性を向上させることができる。
【図面の簡単な説明】
【図１】  本発明の一実施例によるナースコール装置のシステム構成図である。
【図２】  本発明の一実施例によるナースコール装置をなすナースコール親機の具体的な構成を示すブロック図である。
【図３】  （ａ）、（ｂ）は、本発明の一実施例によるナースコール装置をなすナースコール親機の記憶部に記憶されている呼出先設定テーブルを示すテーブル構成図である。
【図４】  従来のナースコール装置のシステム構成図である。
【図５】  従来のナースコール装置をなすナースコール親機の具体的な構成を示すブロック図である。
【符号の説明】
１ａ、１ｂ、１ｃ、・・・、２ａ、２ｂ、２ｃ、・・・、・・・ ……ナースコール子機
１０……ナースコール親機
１１ａ、１１ｂ、１１ｃ、１２ａ、１２ｂ、１２ｃ、・・・ ……携帯端末
３０……ＣＰＵ
３２……記憶部
３４……テーブル登録データ出力部
ＴＢ……呼出先設定テーブル
【図１】
0004704616.tif 000002
【図２】
0004704616.tif 000003
【図３】
0004704616.tif 000004
【図４】
0004704616.tif 000005
【図５】
0004704616.tif 000006